(57)【要約】【課題】ＦＡＸ受信した原稿がインターネットＦＡＸにより転送される携帯端末に対して無駄な通信料を発生させない通信端末装置を提供する。【解決手段】携帯端末３１の電子メールアドレスを記憶する手段と、ＦＡＸ通信機３２の送信部によりＦＡＸ送信された原稿を受信する手段と、受信された原稿を記憶する手段と、記憶された電子メールアドレスを宛先としかつ記憶された原稿の第１ページの上部４１及び次操作メニュー４２を含む電子メールによりインターネットＦＡＸ送信する手段と、  を備えた。【選択図】図３
2008098823.tif 000002
【特許請求の範囲】
【請求項１】
携帯端末の電子メールアドレスを記憶する手段と、
ＦＡＸ通信機の送信部によりＦＡＸ送信された原稿を受信する手段と、
受信された原稿を記憶する手段と、
記憶された電子メールアドレスを宛先としかつ記憶された原稿の第１ページの上部及び次操作メニューを含む電子メールによりインターネットＦＡＸ送信する手段と、
を備えたことを特徴とする通信端末装置。
【請求項２】
前記電子メールが、記憶された原稿のページ数を含んでいる請求項１記載の通信端末装置。
【請求項３】
複数の次操作メニューを記憶する手段と、
前記携帯端末の操作部によりインターネットを介して前記電子メールにおける次操作メニュー上の全ページ受信操作が選択された場合に、前記携帯端末の表示部により表示されるように、記憶された原稿の全ページ及び記憶された次操作メニューを前記携帯端末に転送する手段を備えた請求項１又は２記載の通信端末装置。
【請求項４】
複数の次操作メニューを記憶する手段と、
前記携帯端末の操作部によりインターネットを介して前記電子メールにおける次操作メニュー上の第１ページ受信操作が選択された場合に、前記携帯端末の表示部により表示されるように、記憶された原稿の第１ページ及び記憶された次操作メニューを前記携帯端末に転送する手段と、
前記携帯端末の操作部によりインターネットを介して、転送された次操作メニュー上の次ページ受信操作が選択された場合に、前記携帯端末の表示部により表示されるように、記憶された原稿の次ページ及び記憶された次操作メニューを前記携帯端末に転送する手段と、
を備えた請求項１又は２記載の通信端末装置。
【請求項５】
前記携帯端末の操作部によりインターネットを介して前記次操作メニュー上の削除操作が選択された場合に、記憶された原稿を削除する手段を備えた請求項１から４のいずれか記載の通信端末装置。
【請求項６】
前記携帯端末の操作部によりインターネットを介して前記次操作メニュー上の印刷操作が選択された場合に、記憶された原稿を印刷する手段を備えた請求項１から５のいずれか記載の通信端末装置。
【請求項７】
前記印刷する手段が、前記次操作メニュー上のモノクロ印刷操作が選択された場合に、記憶された原稿をモノクロ印刷する一方、前記次操作メニュー上のカラー印刷操作が選択された場合に、記憶された原稿をカラー印刷する請求項６記載の通信端末装置。
【発明の詳細な説明】
【技術分野】
【０００１】
本発明は、ＦＡＸ（ファクス）受信した原稿をインターネットＦＡＸにより携帯電話機等の携帯端末に転送可能な通信端末装置に関するものである。
【背景技術】
【０００２】
従来のこの種の技術としては、ＦＡＸ通信機の送信部によりＦＡＸ送信された原稿を受信する手段と、受信された原稿を記憶する手段と、記憶された原稿を添付した電子メールにより携帯端末に対してインターネットＦＡＸ送信する手段とを備えた通信端末装置（例えば、特許文献１及び特許文献２参照）が知られている。
【特許文献１】特開２００５−９４２６２号公報（特許請求の範囲等）
【特許文献２】特開平８−２６５２４５号公報（特許請求の範囲等）
【発明の開示】
【発明が解決しようとする課題】
【０００３】
しかし、上記のような従来の通信端末装置においては、ＦＡＸ受信した全ての原稿が携帯端末に転送されることが多い。そのため、携帯端末の通信契約のタイプが、受信するデータの量に応じて通信料が発生するタイプである場合、出先で確認する必要がない受信原稿まで携帯端末に転送されれば、携帯端末においては無駄が通信料がかかるという問題点がある。
【０００４】
本発明は、以上のような事情や問題点に鑑みてなされたものであり、ＦＡＸ受信した原稿がインターネットＦＡＸにより転送される携帯端末に対して無駄な通信料を発生させない通信端末装置を提供することを目的とする。
【課題を解決するための手段】
【０００５】
上記目的を達成するための請求項１の発明は、携帯端末の電子メールアドレスを記憶する手段と、ＦＡＸ通信機の送信部によりＦＡＸ送信された原稿を受信する手段と、受信された原稿を記憶する手段と、記憶された電子メールアドレスを宛先としかつ記憶された原稿の第１ページの上部及び次操作メニューを含む電子メールによりインターネットＦＡＸ送信する手段と、を備えたものである。
【０００６】
請求項２の発明においては、前記電子メールが、記憶された原稿のページ数を含んでいる。
【０００７】
請求項３の発明は、複数の次操作メニューを記憶する手段と、前記携帯端末の操作部によりインターネットを介して前記電子メールにおける次操作メニュー上の全ページ受信操作が選択された場合に、前記携帯端末の表示部により表示されるように、記憶された原稿の全ページ及び記憶された次操作メニューを前記携帯端末に転送する手段を備えたものである。
【０００８】
請求項４の発明は、複数の次操作メニューを記憶する手段と、前記携帯端末の操作部によりインターネットを介して前記電子メールにおける次操作メニュー上の第１ページ受信操作が選択された場合に、前記携帯端末の表示部により表示されるように、記憶された原稿の第１ページ及び記憶された次操作メニューを前記携帯端末に転送する手段と、前記携帯端末の操作部によりインターネットを介して、転送された次操作メニュー上の次ページ受信操作が選択された場合に、前記携帯端末の表示部により表示されるように、記憶された原稿の次ページ及び記憶された次操作メニューを前記携帯端末に転送する手段と、を備えたものである。
【０００９】
請求項５の発明は、前記携帯端末の操作部によりインターネットを介して前記次操作メニュー上の削除操作が選択された場合に、記憶された原稿を削除する手段を備えたものである。
【００１０】
請求項６の発明は、前記携帯端末の操作部によりインターネットを介して前記次操作メニュー上の印刷操作が選択された場合に、記憶された原稿を印刷する手段を備えたものである。
【００１１】
請求項７の発明においては、前記印刷する手段が、前記次操作メニュー上のモノクロ印刷操作が選択された場合に、記憶された原稿をモノクロ印刷する一方、前記次操作メニュー上のカラー印刷操作が選択された場合に、記憶された原稿をカラー印刷する。
【発明の効果】
【００１２】
請求項１の発明によれば、ＦＡＸ受信した原稿の第１ページの上部及び次操作メニューが携帯端末にインターネットＦＡＸ送信されるので、携帯端末に対して無駄な通信料を発生させないと共に、原稿の受信、印刷、削除等の次操作を行い易い。
【００１３】
請求項２の発明によれば、ＦＡＸ受信した原稿のページ数を簡単に把握できるので、次操作を行い易い。
【００１４】
請求項３の発明によれば、ＦＡＸ受信した原稿の全ページ及び次操作メニューが転送されるので、原稿を全体的に確認できると共に、原稿の印刷、削除等の次操作を行い易い。
【００１５】
請求項４の発明によれば、ＦＡＸ受信した原稿のページ及び次操作メニューが転送されるので、原稿を１ページずつ確認できると共に、原稿の受信、印刷、削除等の次操作を行い易い。
【００１６】
請求項５の発明によれば、ＦＡＸ受信した原稿を携帯端末の指示により削除できるようにしているので、通信端末装置の記憶資源を節約することができる。
【００１７】
請求項６の発明によれば、ＦＡＸ受信した原稿を携帯端末の指示により印刷できるようにしているので、出先から戻ってすぐに原稿を参照することができる。
【００１８】
請求項７の発明によれば、印刷コストが高いカラー印刷を必要なときだけ行えるので、印刷コストの低減化を図ることができる。
【発明を実施するための最良の形態】
【００１９】
以下、本発明の実施形態を図面に基づいて説明する。
本実施形態に係る通信端末装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、表示部９、操作部１０、読取部１１、記録部１２、及びＬＡＮ（local area network、構内情報通信網）インターフェース〔ＬＡＮ Ｉ／Ｆ〕１３を備えたものであり、各構成要素はバス１４を介して互いに通信可能に接続されている。
【００２０】
ＬＡＮインターフェース１３は、インターネット２１に接続されている。通信端末装置１は、インターネット２１に接続可能な携帯端末３１に対し、インターネットＦＡＸ送信が可能である。携帯端末３１は、インターネット２１を介して通信端末装置１にアクセス可能である。なお、携帯端末３１としては、携帯電話機、ＰＨＳ（personal handy phone system）、携帯情報端末（personal digital assistant、ＰＤＡ）、ＰＨＳ内蔵携帯情報端末、パーソナルコンピュータ（ＰＣ）等が挙げられる。
【００２１】
ＮＣＵ８は、ＰＳＴＮ（public switched telephone network、公衆電話交換網）２２に接続されている。通信端末装置１は、ＰＳＴＮ２２に接続された外部のＦＡＸ通信機３２とＦＡＸ通信（ＦＡＸ受信及びＦＡＸ送信）が可能である。
【００２２】
フラッシュメモリ３は、各構成要素の動作を制御するための制御プログラムの他、携帯端末３１の電子メールアドレス及び複数の次操作メニュー等を記憶している。なお、記憶手段は、フラッシュメモリ３の他、ＨＤＤ（ハードディスクドライブ）等であってもよい。
【００２３】
制御部２は、ＣＰＵ（central processing unit、中央処理装置）等で構成されており、フラッシュメモリ３上の制御プログラム等に従って各構成要素の動作を制御する。ＲＡＭ４は、通信端末装置１に関する各種の情報を一時的に記憶する。
【００２４】
読取部１１は、原稿を読み取る。画像メモリ５は、読み取られた原稿を一時的に記憶する。記録部１２は、記憶された原稿等を電子写真方式等により記録用紙に印刷する。このように、通信端末装置１は、原稿を読み取る手段、読み取られた原稿を記憶する手段、及び記憶された原稿を印刷する手段も備えている。
【００２５】
表示部９は、操作部１０等に併設されたＬＣＤ（liquid crystal display、液晶ディスプレイ）等で構成されており、各種の情報を表示する。
【００２６】
操作部１０は、各種の操作をするための操作キー等を備えている。通信端末装置１に対するユーザによる各種の操作は、この操作部１０を通じて行われる。なお、表示部９をタッチパネルとしておき、このタッチパネルとしての表示部９が操作部１０としても機能するように構成してもよい。
【００２７】
コーデック６は、読み取られた原稿を送信等のためにＭＨ（modified huffman）方式、ＭＲ（modified read）方式、ＭＭＲ（modified modified read）方式等により符号化したり、受信した原稿を復号化したりする。
【００２８】
モデム７は、ＩＴＵ−Ｔ（国際電気通信連合−電気通信標準化部門）の勧告Ｖ．３４規格等に従った送信データの変調及び受信データの復調を行う。ＮＣＵ８は、電話回線を制御して電話をかけたり切ったりする。
【００２９】
ＦＡＸ通信機３２の送信部により通信端末装置１に対してＦＡＸ送信された場合、ＦＡＸ送信された原稿がモデム７により受信される。受信された原稿は、画像メモリ５により一時的に記憶される。記憶された原稿は、コーデック６により復号化される。復号化された原稿は、フラッシュメモリ３により記憶される。このように、通信端末装置１は、ＦＡＸ通信機３２の送信部によりＦＡＸ送信された原稿をメモリ受信するように構成されている。
【００３０】
上記のように構成された通信端末装置１は、ＦＡＸ通信機、インターネットＦＡＸ通信機、コピー機、ネットワークプリンタ、及びネットワークスキャナ等として機能する複合機である。なお、通信端末装置１は、複合機でなくてもよく、少なくともＦＡＸ通信機及びインターネットＦＡＸ通信機として機能するものであればよい。
【００３１】
次に、インターネットＦＡＸの送信処理例を図２に示すフローチャートに基づいて説明する。なお、この処理は、フラッシュメモリ３上の制御プログラム等に基づいて制御部２が発行する命令に従って行われる。
【００３２】
この処理において、ＦＡＸ通信機３２の送信部によりＦＡＸ送信された原稿を受信した場合（ステップＳ１）、受信された原稿がフラッシュメモリ３により記憶される（ステップＳ２）。
【００３３】
次いで、フラッシュメモリ３上の電子メールアドレスを宛先としかつフラッシュメモリ３上の原稿の第１ページの上部及び次操作メニューを含む電子メールによりインターネットＦＡＸ送信され（ステップＳ３）、処理が終了する。
【００３４】
インターネットＦＡＸ送信された電子メールが携帯端末３１の操作部により開封された場合、図３に示すように、携帯端末３１の表示部によりフラッシュメモリ３上の原稿の第１ページの上部４１及び次操作メニュー４２が表示される。
【００３５】
ここで、電子メールが、フラッシュメモリ３上の原稿のページ数（例えば「計３ページ」）４３を含んでいる場合は、ＦＡＸ受信した原稿のページ数４３を簡単に把握できるので、次操作を行い易いという利点がある。
【００３６】
携帯端末３１の操作部によりインターネット２１を介して電子メールにおける次操作メニュー４２上の全ページ受信操作（例えば「全ページを受信する」）４４が選択された場合は、フラッシュメモリ３上の原稿の全ページ及び次操作メニューが携帯端末３１に転送される。図４及び図５に示すように、転送された原稿の全てのページ４５及び次操作メニュー４６は、携帯端末３１の表示部により表示される。このように、ＦＡＸ受信した原稿の全ページ４５及び次操作メニュー４６が転送されるようにしておけば、原稿を全体的に確認できると共に、原稿の印刷、削除等の次操作を行い易いという利点がある。
【００３７】
図３に示すように、携帯端末３１の操作部によりインターネット２１を介して電子メールにおける次操作メニュー４２上の第１ページ受信操作（例えば「第１ページを受信する」）４７が選択された場合は、フラッシュメモリ３上の原稿の第１ページ及び次操作メニューが携帯端末３１に転送される。図６に示すように、転送された原稿の第１ページ４５及び次操作メニュー４８は、携帯端末３１の表示部により表示される。
【００３８】
携帯端末３１の操作部によりインターネット２１を介して、転送された次操作メニュー４８上の次ページ受信操作（例えば「次のページを受信する」）４９が選択された場合は、フラッシュメモリ３上の原稿の第２ページ及び次操作メニューが携帯端末３１に転送される。図示しないが、転送された原稿の第２ページ４５及び次操作メニュー４８は、携帯端末３１の表示部により表示される。
【００３９】
同様に、携帯端末３１の操作部によりインターネット２１を介して、転送された次操作メニュー上の次ページ受信操作が選択された場合、フラッシュメモリ３上の原稿の第３ページ及び次操作メニューが携帯端末３１に転送される。図示しないが、転送された原稿の第３ページ４５及び次操作メニュー４８は、携帯端末３１の表示部により表示される。このように、ＦＡＸ受信した原稿のページ４５及び次操作メニュー４８が転送されるようにしておけば、原稿を１ページずつ確認できると共に、原稿の受信、印刷、削除等の次操作を行い易いという利点がある。
【００４０】
図３、図５、及び図６に示すように、携帯端末３１の操作部によりインターネット２１を介して次操作メニュー４２、４６、４８上の削除操作（例えば「受信原稿を削除する」）５０が選択された場合は、フラッシュメモリ３上の原稿が削除される。このように、ＦＡＸ受信した原稿を携帯端末３１の指示により削除できるようにしておけば、通信端末装置１の記憶資源を節約できるという利点がある。
【００４１】
携帯端末３１の操作部によりインターネット２１を介して次操作メニュー４２、４６、４８上の印刷操作が選択された場合は、フラッシュメモリ３上の原稿が印刷される。このように、ＦＡＸ受信した原稿を携帯端末３１の指示により印刷できるようにしておけば、出先から戻ってすぐに原稿を参照できるという利点がある。
【００４２】
フラッシュメモリ３上の原稿がカラー画像である場合において、次操作メニュー４２、４６、４８上のモノクロ印刷操作（例えば「受信原稿をモノクロ印刷する」）５１が選択された場合に、フラッシュメモリ３上の原稿をモノクロ印刷する一方、次操作メニュー４２、４６、４８上のカラー印刷操作（例えば「受信原稿をカラー印刷する」）５２が選択された場合に、フラッシュメモリ３上の原稿をカラー印刷するようにしておけば、印刷コストが高いカラー印刷を必要なときだけ行えるので、印刷コストの低減化を図ることができるという利点がある。
【００４３】
上記のように構成された通信端末装置１によれば、ＦＡＸ受信した原稿の第１ページの上部４１及び次操作メニュー４２が携帯端末３１にインターネットＦＡＸ送信されるので、携帯端末３１に対して無駄な通信料を発生させないと共に、原稿の受信、印刷、削除等の次操作を行い易いという利点がある。
【産業上の利用可能性】
【００４４】
以上のように、本発明に係る通信端末装置は、ＦＡＸ受信した原稿がインターネットＦＡＸにより転送される携帯端末に対して無駄な通信料を発生させないようにする用途に適している。
【図面の簡単な説明】
【００４５】
【図１】実施形態に係る通信端末装置の構成例を示すブロック図。
【図２】インターネットＦＡＸの送信処理例を示すフローチャート。
【図３】インターネットＦＡＸ送信された電子メールの画面表示例を示す説明図。
【図４】転送された原稿の第１ページ付近の画面表示例を示す説明図。
【図５】転送された原稿の第３ページ下部付近の画面表示例を示す説明図。
【図６】転送された原稿の第１ページ下部付近の画面表示例を示す説明図。
【符号の説明】
【００４６】
１  通信端末装置
２  制御部
３  フラッシュメモリ
４  ＲＡＭ
５  画像メモリ
６  コーデック
７  モデム
８  ＮＣＵ
１２  記録部
１３  ＬＡＮインターフェース
２１  インターネット
２２  ＰＳＴＮ
３１  携帯端末
３２  ＦＡＸ通信機
４１  第１ページの上部
４２  次操作メニュー
４４  全ページ受信操作
４５  ページ
４６  次操作メニュー
４７  第１ページ受信操作
４８  次操作メニュー
４９  次ページ受信操作
５０  削除操作
５１  モノクロ印刷操作
５２  カラー印刷操作
【図１】
2008098823.tif 000003
【図２】
2008098823.tif 000004
【図３】
2008098823.tif 000005
【図４】
2008098823.tif 000006
【図５】
2008098823.tif 000007
【図６】
2008098823.tif 000008